(57)【要約】【課題】生体における適切な位置に電極を配置しやすい測定具を実現する。【解決手段】測定具（１０）は、動物の脚を通す少なくとも１つの孔部（２）を有し、動物の胴体に装着される主装着部（１）と、動物の生体情報を取得するための電極（６）を有し、孔部（２）の少なくとも１つに対して配された電極ベルト（５）とを備え、電極ベルト（５）は、装着時に動物の腋窩を通るように孔部（２）を横断して予め配されている。【選択図】図１
2018126068.tif 000002
【特許請求の範囲】
【請求項１】
動物の脚を通す少なくとも１つの孔部を有し、前記動物の胴体に装着される主装着部と、
前記動物の生体情報を取得するための電極を有し、前記孔部の少なくとも１つに対して配された電極ベルトとを備え、
前記電極ベルトは、装着時に前記動物の腋窩を通るように前記孔部を横断して予め配されているか、または、前記電極ベルトの、前記主装着部に対する位置が暫定的に定められており、装着時に前記腋窩を通るように前記電極ベルトの位置を変更可能である測定具。
【請求項２】
前記電極ベルトは、装着時に前記腋窩を通るように前記電極ベルトの一部の位置を変更可能であり、
前記主装着部は、第１連結部を備え、
前記電極ベルトは、前記第１連結部と着脱可能に連結する第２連結部を備えている請求項１に記載の測定具。
【請求項３】
前記電極ベルトは、前記主装着部に接続される両端部の間に前記第２連結部を備えており、
前記第２連結部は、前記電極ベルトの両端部が前記主装着部に接続されている状態において、前記第１連結部と連結する請求項２に記載の測定具。
【請求項４】
前記主装着部は、前記第２連結部が設けられている前記電極ベルトの一端を、前記第１連結部とは異なる位置において着脱可能に保持または掛止する仮止め部を備えている請求項２に記載の測定具。
【請求項５】
前記電極ベルトは、弾性体を含んでいる請求項１から４のいずれか１項に記載の測定具。
【請求項６】
前記電極ベルトは、長さ調節部を備えている請求項１から５のいずれか１項に記載の測定具。
【発明の詳細な説明】
【技術分野】
【０００１】
本開示は、生体、特に体毛を有する動物に装着する測定具に関する。
【背景技術】
【０００２】
生活習慣病の予防および対策として、日常的な健康管理が重要であることが広く認識されている。近年、人間（飼い主）と同様、愛玩動物（ペット）においても日常的な健康管理が重要であるとの認識が高まり、飼い主がペットの生体情報の測定を手軽に行うことへのニーズが高まっている。
【０００３】
ペットの生体情報を測定する技術の一例としては、以下の特許文献１に開示されたものが挙げられる。特許文献１に記載の測定具は、電極体の各電極を脇の下等に押し付けた状態に保持する固定具を有している。
【先行技術文献】
【特許文献】
【０００４】
【特許文献１】特開２００５−２７６６１号公報（２００５年２月３日公開）
【発明の概要】
【発明が解決しようとする課題】
【０００５】
一般的に、動物に測定具を装着するときに、装着の仕方を間違い、適切に生体情報が得られない場合がある。特に、電極と測定具の本体との位置関係がある程度自由に変えられる場合には、測定具本体を適切に動物に装着したとしても、電極が適切な位置に配置されない場合がある。
【０００６】
本開示の一態様は、生体における適切な位置に電極を配置しやすい測定具を実現することを目的とする。
【課題を解決するための手段】
【０００７】
本開示の一態様に係る測定具は、動物の脚を通す少なくとも１つの孔部を有し、前記動物の胴体に装着される主装着部と、前記動物の生体情報を取得するための電極を有し、前記孔部の少なくとも１つに対して配された電極ベルトとを備え、前記電極ベルトは、装着時に前記動物の腋窩を通るように前記孔部を横断して予め配されているか、または、前記電極ベルトの、前記主装着部に対する位置が暫定的に定められており、装着時に前記腋窩を通るように前記電極ベルトの位置を変更可能である。
【発明の効果】
【０００８】
本開示の一態様によれば、生体における適切な位置に電極を配置しやすい測定具を実現できる。
【図面の簡単な説明】
【０００９】
【図１】（ａ）は、実施形態１に係る測定具の構成を示す図であり、（ｂ）は、前記測定具が備える電極ベルトの構成を示す図である。
【図２】実施形態１に係る測定具を犬に装着する様子を示す図であり、（ａ）は装着途中、（ｂ）は装着完了後の状態を示している。
【図３】実施形態２に係る測定具の構成を示す図である。
【図４】実施形態３に係る測定具が有する２つの孔部のうちの一方およびその周辺部を示す図であって、（ａ）は位置調節前、（ｂ）は位置調節後の電極ベルトの配置を示す図である。
【図５】（ａ）は実施形態４に係る測定具が備える電極ベルトの構成を示す図であり、（ｂ）は連結部の一例を示す図であり、（ｃ）は連結部の別の例を示す図であり、（ｄ）は、連結部の構成の、さらに別の例を示す図であり、（ｅ）は、長さ調節部として延長ベルトを用いる例を示す図である。
【図６】実施形態４に係る測定具が有する２つの孔部のうちの一方およびその周辺部を示す図であって、（ａ）は位置調節前、（ｂ）は位置調節後の電極ベルトの状態を示す図である。
【図７】実施形態４に係る測定具を犬に装着する様子を示す図であり、（ａ）は装着途中、（ｂ）は装着完了後の状態を示している。
【図８】実施形態５に係る心電測定システムの構成を示す機能ブロック図である。
【図９】実施形態５に係る心電測定システムが備える心電測定装置のハードウェアの構成の一例を示す図である。
【図１０】実施形態５に係る心電測定システムが備える心電測定装置における装着判定処理の流れの一例を示すフローチャートである。
【図１１】心電波形の一例を示す図であり、（ａ）は電極が適切に装着されている時の波形を示し、（ｂ）は電極が適切に装着されていない時の波形を示す。
【発明を実施するための形態】
【００１０】
以下では、測定対象の動物が犬である例について説明する。測定対象の動物は、犬に限らず、例えば、（ｉ）猫、ウサギ、フェレット、猿、ハムスター等の愛玩動物、（ｉｉ）馬、牛、豚、ヒツジ、ヤギ等の家畜、または（ｉｉｉ）トラ、ライオン等、動物園で飼育されている動物であってもよい。
【００１１】
〔実施形態１〕
以下、実施の形態について、図１〜図２を参照して詳細に説明する。
【００１２】
図１の（ａ）は、本実施形態に係る測定具１０の構成を示す図である。測定具１０は、例えば犬の心電を測定するための測定具である。ただし、測定具１０の測定対象となる生体情報は、心電に限定されず、例えば体温、脈波、発汗量、心拍数または体脂肪率であってもよい。図１に示すように、測定具１０は、主装着部１および電極ベルト５を備える。
【００１３】
主装着部１は、犬の胴体に装着される部材であり、犬の左右の前肢を通す孔部２を有する。図１に示す例では、孔部２は犬の左右の前肢のそれぞれに対応して２つ形成されているが、孔部２の数は２つに限定されない。４本の肢をそれぞれ通す４つの孔部２が形成されていてもよいし、孔部２が１つのみでもよい。また主装着部１の材料は特に制限されず、例えば天然皮革、合成皮革、樹脂、天然繊維、または化学繊維など、任意の材料であってよい。
【００１４】
また、主装着部１は、装着時に犬の背中側で互いに接続される接続部１ａ・１ｂを備えている。接続部１ａ・１ｂが互いに接続されるときに、接続部１ａ・１ｂは互いに重なってもよく、重ならなくてもよい。互いに重なる接続部１ａ・１ｂの例としては、面ファスナーが挙げられる。また、接続部１ａ・１ｂが互いに重ならない例としては、バックル、フック、ボタン、またはスナップ等が挙げられる。
【００１５】
主装着部１を犬に装着した場合における犬の背中側に、収納部３が設けられている。収納部３は、犬の心電を測定するための心電測定装置４を内部に収納している。心電測定装置４については、実施形態４で別途説明する。
【００１６】
電極ベルト５は、生体情報としての心電を測定する電極６を有し、装着時に犬の腋窩を通る（腋の下を通る）ように孔部２を横断して予め配されている。図１の（ａ）に示す例では、犬の左右の腋窩の両方に電極６が当接するように、２つの孔部２のそれぞれに電極ベルト５が配されている。ただし、電極ベルト５は、必ずしも犬の左右の腋窩の両方に装着される必要はなく、左右の腋窩の少なくとも一方に装着されればよい。
【００１７】
また、本実施形態では、電極ベルト５の両端は、主装着部１に対して固定されており、電極ベルト５の長さは、測定具１０を犬に装着した場合に電極６が適切な圧力で犬の腋窩に当接する長さに予め調整されている。
【００１８】
また、電極ベルト５が孔部２を横断することによって２つの分割孔部２ａ・２ｂが形成される。分割孔部２ａは、主装着部１を犬に装着した状態において、犬の腋窩から遠い側の孔部であり、分割孔部２ｂは、犬の腋窩に近い側の孔部である。分割孔部２ａ・２ｂのうち、分割孔部２ａが、測定具１０の装着時に前肢を通す孔となる。
【００１９】
図１の（ｂ）は、電極ベルト５の構成を示す図である。図１の（ｂ）に示すように、電極ベルト５は、電極６およびベルト８を備えている。
【００２０】
電極６は、測定具１０が装着された状態において犬の腋窩に配される部材である。
【００２１】
ベルト８は、電極６を支持し、犬の腋窩に所定以上の力で当接させるためのベルトである。本実施形態では、測定具１０の装着時に電極ベルト５が犬の腋窩を通るように、ベルト８の両端はそれぞれ、孔部２の近傍に固定されている。
【００２２】
ベルト８の一部または全部は、例えばゴム等の、弾性を有する材料で形成される。例えば、ベルト８は、ゴムベルトと伸縮性の小さいまたは伸縮性のないベルトとを連結させたベルトであってもよい。この構成において、連結部９ａは、前記伸縮性の小さいまたは伸縮性のないベルトに設けられてもよい。ベルト８が弾性体を含んでいるため、測定具１０を装着している犬の姿勢が変わっても、ベルト８の弾性により、電極６が犬の腋窩に当接した状態が維持される。なお、ベルト８を、弾性をさほど有さない紐状の部材によって形成してもよい。
【００２３】
図２は、測定具１０を犬に装着する様子を示す図であり、（ａ）は装着途中、（ｂ）は装着完了後の状態を示している。測定具１０を犬に装着する場合、まず、図２の（ａ）に示すように、接続部１ａ・１ｂを互いに接続させない状態で、犬の左右の前肢をそれぞれ孔部２（分割孔部２ａ）に通す。その後、主装着部１を引き上げ、犬の背中側で接続部１ａ・１ｂを互いに接続することで、図２の（ｂ）に示すように、測定具１０の犬への装着が完了する。
【００２４】
犬の体表面には毛があり、心電などの生体情報を測定するためには、剃毛を行うか、体毛が比較的薄い場所を測定箇所として選択する必要がある。体毛が多い箇所の場合、体毛がノイズ源や絶縁体となり生体情報を正確に計測することは困難となる。導電性ジェルなどを用いて電極と体表との接触を良くする方法もあるが、乾いてしまうと導電性が失われ、かつ体毛を汚してしまう。
【００２５】
剃毛を行うことなくかつ長時間計測を行うためには、体毛が比較的薄い場所に電極を敷設可能で、長時間装着させてもズレが少なく、動いてズレたとしても元に戻る電極の敷設方法が好ましい。また、当該敷設方法を誰が行っても再現することができる装具が必要である。主装着部１は、犬の服のような外観を有するため、ユーザは、孔部２に犬の前肢を通して服を着せるように装着するという、主装着部１の犬への装着方法を容易に理解することができる。そして、そのように主装着部１を犬に装着させることで、結果として電極６を犬の腋窩に適切に当接させることができる。
【００２６】
腋窩は、犬の身体で比較的被毛が薄い領域である。このため、電極６を腋窩に当接させることで、剃毛、または導電性ジェルの塗布といった処理を行うことなく心電を測定することができる。また、腋窩は、床または壁等への接触の虞が小さいため、当該接触により電極６の位置が変化し、正常な測定が妨げられる虞が小さい。
【００２７】
なお、接続部１ａ・１ｂに対応する部位が、装着時に犬の前側（腹側）に位置する構成にしてもよい。犬の性格によっては測定具１０を装着するユーザの手等に噛みつく虞があるため、接続部１ａ・１ｂを犬の背中で互いに接続する方が好ましい。
【００２８】
〔実施形態２〕
他の実施形態について、図３に基づいて説明すれば、以下のとおりである。なお、説明の便宜上、前記実施形態にて説明した部材と同じ機能を有する部材については、同じ符号を付記し、その説明を省略する。この点は、後述する実施形態についても同様である。
【００２９】
図３は、本実施形態に係る測定具２０の構成を示す図である。図３に示すように、本実施形態の電極ベルト５は、図１の（ａ）に示した電極ベルト５と比較して、その一端に長さ調節部２１が設けられている点で相違する。長さ調節部２１は、電極ベルト５の長さを調節する機能を有する部材である。長さ調節部２１の例としては、例えばアジャスター、送りカン、Ｄカン（２個重ね）、ボタン、またはフックなどが挙げられる。
【００３０】
犬に測定具２０を装着する時には、長さ調節部２１により電極ベルト５を長くする（緩める）ことにより、犬の前肢を孔部２に通しやすくなる。より詳細には、測定具１０の装着時に犬の前肢を通す方の分割孔部２ａが、他方の分割孔部２ｂより大きく形成させることができる。このため、測定具１０のユーザは、犬の前肢を分割孔部２ａ・２ｂのいずれに通すべきかを容易に判断できるか、または、無意識のうちに適切な方の分割孔部２ａに犬の前肢を通すことができる。
【００３１】
そのため、誤って分割孔部２ｂに前肢を通してしまった結果、電極６が犬の腋窩に当接せず、心電測定が行えないという事態を防止でき、測定具１０を再現性良く犬に装着できる。
【００３２】
その後、接続部１ａ・１ｂを互いに接続させてから長さ調節部２１により電極ベルト５を短くする（締める）ことで、電極６を犬の腋窩に適切な圧力で当接させることができる。
【００３３】
また、長さ調節部２１は、測定具２０を犬に装着した状態において、主装着部１の外側（露出している側）に設けられることが好ましい。これにより、接続部１ａ・１ｂを互いに接続させた後で長さ調節部２１による長さ調節を容易に行うことができる。
【００３４】
〔実施形態３〕
他の実施形態について、図４に基づいて説明する。図４は、本実施形態に係る測定具２０Ａが有する２つの孔部２のうちの一方およびその周辺部を示す図であり、（ａ）は位置調節前、（ｂ）は位置調節後の電極ベルト５の配置を示す図である。測定具２０Ａでは、装着前に電極ベルト５の、主装着部１に対する位置が暫定的に定められており、主装着部１を装着した後に、電極ベルト５が犬の腋窩を通るように電極ベルト５の中間部の位置を変更可能である。
【００３５】
図４の（ａ）および（ｂ）に示すように、測定具２０Ａにおいて、主装着部１は、連結部（第１連結部）２３ａ・２３ｂを備えている。連結部２３ａは、孔部２に犬の肢を挿入するために適した位置に電極ベルト５を配置するための部材であり、連結部２３ｂは、測定に適した位置に電極ベルト５を配置するための部材である。連結部２３ｂは、測定に適した圧力で電極６を犬の腋窩に当接させるための部材であるともいえる。
【００３６】
また、電極ベルト５は、主装着部１に接続されている両端部の間に、連結部２３ａ・２３ｂと着脱可能に連結する連結部（第２連結部）２２を備えている。連結部２２は、電極ベルト５の両端部が主装着部１に接続されている状態において、連結部２３ａ・２３ｂと連結する。
【００３７】
連結部２２・２３ａ・２３ｂは、例えばボタン、フック、バックル、または面ファスナーなど、着脱可能な連結機能を有する部材であれば、どのような部材であってもよい。また、電極ベルト５の位置調節を容易にするために、連結部２２・２３ａ・２３ｂは、測定具２０Ａを犬に装着した状態において、主装着部１の外側（露出している側）に設けられることが好ましい。また、連結部２３ａと連結部２３ｂとは種類の異なる部材であってもよい。また、連結部２３ｂは、主装着部１から伸びるベルトの先端に設けられていてもよい。
【００３８】
図４の（ａ）に示すように、連結部２３ａは、主装着部１を犬に装着した状態において、犬の腋窩に近い側の、孔部２の縁部の近傍に配されている。そのため、主装着部１の装着時に、連結部２２を連結部２３ａに連結しておくことにより、犬の肢を通すべき孔部２を大きく、かつ電極ベルト５と前肢（腋窩）との相対位置関係が適切な状態で開口させることができる。
【００３９】
図４の（ｂ）に示すように、主装着部１の装着後には、連結部２２を連結部２３ｂに連結させる。これにより、電極６を犬の腋窩の適切な位置に配することができる。また、電極ベルト５の実質的な長さが短くなるため、連結部２２が連結部２３ａと連結している状態と比較して電極ベルト５の張力が大きくなり、電極６を適切な圧力で犬の腋窩に当接させることができる。
【００４０】
以上のように、測定具２０Ａでは、孔部２に犬の前肢を容易かつ適切に挿入でき、装着の再現性を高めることができるとともに、適切な圧力で電極６を犬の腋窩に当接させることができる。
【００４１】
〔実施形態４〕
他の実施形態について、図５および図６に基づいて説明する。図５の（ａ）は、本実施形態に係る測定具２０Ｂが備える電極ベルト５の構成を示す図である。図５の（ｂ）は、電極ベルト５が備える連結部２４の一例を示す図である。図５の（ｃ）は、連結部２４の別の例を示す図である。図５の（ｄ）は、連結部２４の、さらに別の例を示す図である。図６は、測定具２０Ｂが有する２つの孔部２のうちの一方およびその周辺部を示す図であって、（ａ）は位置調節前、（ｂ）は位置調節後の電極ベルト５の状態を示す図である。測定具２０Ｂは、装着前に電極ベルト５の、主装着部１に対する位置が暫定的に定められており、主装着部１を装着した後に、電極ベルト５が犬の腋窩を通るように電極ベルト５の先端の位置を変更可能である。
【００４２】
図５の（ａ）に示すように、測定具２０Ｂの電極ベルト５は、一方の端部である一端５ａに連結部（第２連結部）２４を備えている。連結部２４は、主装着部１が備える連結部（第１連結部）２５と着脱可能に連結する。電極ベルト５の他方の端部は、主装着部１に固定されている。
【００４３】
また、連結部２４は、連結部２５と連結する機能の他に、電極ベルト５の長さを調節する長さ調節部としての機能を有していてもよい。例えば図５の（ｂ）に示すように、連結部２４は、長さ調節部材２４ａおよび連結部材２４ｂを備えていてもよい。または、図５の（ｃ）に示すように、連結部２４において、連結部２５と連結する部材および電極ベルト５の長さを調節する部材が一体に構成されていてもよい。
【００４４】
また、図５の（ｄ）に示すように、連結部２４および連結部２５がピンバックルを構成していてもよい。具体的には、ベルト８の先端部である連結部２４に複数の孔部２４ｃが設けられ、連結部２５としてのピンを当該複数の孔部２４ｃのいずれかに挿入することで、連結部２４および２５が互いに連結されるとともに、電極ベルト５の長さが調節される。
【００４５】
図５の（ｂ）〜（ｄ）に示した、電極ベルト５の長さ調節機構を、他の実施形態における測定具１０・２０・２０Ａに設けてもよい。
【００４６】
また、ベルト８の全体がゴムで形成されている場合、連結部２４による長さ調節を行いにくい可能性がある。また、図５の（ｄ）に示した例では、連結部２５のピンが挿入された連結部２４としての孔部２４ｃが張力により拡がり、意図した長さとは異なる長さになる可能性がある。このため、ベルト８をゴムベルトと伸縮性の小さいまたは伸縮性のないベルトとを連結させたベルトとし、連結部２４を前記伸縮性の小さいまたは伸縮性のないベルトに設けてもよい。
【００４７】
図５の（ｅ）は、長さ調節部として延長ベルト２７を用いる例を示す図である。延長ベルト２７は、両端にそれぞれ、連結部２４と連結可能な連結部２７ａ、および連結部２５と連結可能な連結部２７ｂを備えている。連結部２４と連結部２５とを延長ベルト２７を介して連結させることにより、電極ベルト５を延長させることができる。互いに長さが異なる複数種類の延長ベルト２７（図５の（ｅ）では３種類）を用意し、測定具１０を装着する犬の体格に合わせて最適な長さの延長ベルト２７を選択することで、電極ベルト５の長さを調節でき、電極６を犬の腋窩に適切な圧力で当接させることができる。
【００４８】
図６の（ａ）および（ｂ）に示すように、測定具２０Ｂは、電極ベルト５の一端５ａを、犬の心電を測定可能な状態で着脱可能に保持する連結部２５と、一端５ａを、連結部２５とは異なる位置において着脱可能に保持または掛止する仮止め部２６とを備えている。連結部２４・２５は、上述の連結部２２・２３ａ・２３ｂと同様のものでよい。また、連結部２５は、主装着部１から伸びるベルトの先端に設けられていてもよい。
【００４９】
仮止め部２６は、例えばボタン、フック、またはバックルなどの保持または掛止可能な部材であり、主装着部１を犬に装着した状態において、犬の腋窩に近い側の、孔部２の縁部の近傍に配されている。本実施形態では、仮止め部２６は、電極ベルト５を通し、掛止する環状部材である。仮止め部２６として、前記環状部材およびボタンの両方を用いてもよい。
【００５０】
図６の（ａ）に示すように、測定具２０Ｂの装着前には、電極ベルト５の一端５ａは、仮止め部２６に掛止されている。この状態で、孔部２に犬の前肢が通される。
【００５１】
図６の（ｂ）に示すように、測定具２０Ｂの装着後には、電極ベルト５の一端５ａを仮止め部２６から外し、連結部２４を連結部２５に連結させる。この電極ベルト５の主装着部１への接続により、電極６を犬の腋窩の適切な位置に配することができる。また、電極ベルト５の張力により、電極６を適切な圧力で犬の腋窩に当接させることができる。なお、図６の（ａ）および（ｂ）に示す例では仮止め部２６を環状部材とし、図６（ｂ）においては電極ベルト５が当該環状部材の中を通過して連結部２５に連結するようにしている。しかし、仮止め部２６は環状部材に限らず、ボタンなどであってもよい。仮止め部２６をボタンで構成する場合には、孔部２に犬の前肢を通した後、単に仮止め部２６から電極ベルト５を外し、連結部２４と連結部２５とを連結させるようにすればよい。
【００５２】
図７は、測定具２０Ｂを犬に装着する様子を示す図であり、（ａ）は装着途中、（ｂ）は装着完了後の状態を示している。測定具２０Ｂを犬に装着する場合、まず、図７の（ａ）に示すように、連結部２４および２５を互いに連結させない状態で、犬の前肢を孔部２に通させる。その後、電極ベルト５を、犬の腋の下を通した状態で引き上げ、連結部２４を連結部２５に連結させることで、図７の（ｂ）に示すように、測定具２０Ｂの犬への装着が完了する。
【００５３】
このように、電極ベルト５の一端５ａを、犬の腋窩を通しつつ、犬の前方から後方へ移動させ、犬の背中側で連結部２４および２５を連結させることで、実施形態１の測定具１０と同様、ユーザが手などを犬に噛まれる虞が小さくなる。
【００５４】
なお、図５の（ｂ）〜（ｅ）に示した電極ベルト５の長さ調節機構は、図６に示した測定具２０Ｂだけでなく、図４に示した測定具２０Ａに適用されてもよい。図４や図６に示した測定具２０Ａ・２０Ｂに電極ベルト５の長さ調節機構を含めることにより、より犬の体格に合った電極ベルト５の長さを決めやすくなり、誰が着せても適切な張力によって電極ベルト５を犬の腋窩に当接させることが可能となる。
【００５５】
より詳細には、図５の（ｂ）および（ｃ）に示す例では、連結部２４（長さ調節部材２４ａ）を用いて電極ベルト５の長さを一旦調節すれば、測定具２０Ａ・２０Ｂを２度目以降に犬に装着するときに、連結部２４および２５を連結させるだけで電極ベルト５の適切な張力を容易に再現できる。また、図６の（ｄ）に示す例では、電極ベルト５の張力を最も適切に設定できる孔部２４ｃは連結部２４に設けた複数の孔部２４ｃのうちどれなのかを、測定具２０Ａ・２０Ｂの初回の装着時に確認しておく。測定具２０Ａ・２０Ｂの２度目以降の装着時に、前記最も適切に設定できる孔部２４ｃに連結部２５のピンを刺すように装着させることによって、電極ベルト５の適切な張力を容易に再現できる。また、図６の（ｅ）に示す例では、電極ベルト５の張力を最も適切に設定できる長さの延長ベルト２７を、測定具２０Ａ・２０Ｂの初回の装着時に確認しておく。測定具２０Ａ・２０Ｂの２度目以降の装着時に当該適切な長さの延長ベルト２７を選択し装着させることで、電極ベルト５の適切な張力を容易に再現できる。
【００５６】
〔実施形態５〕
他の実施形態について、図８〜図１１に基づいて説明すれば、以下のとおりである。なお、説明の便宜上、前記実施形態にて説明した部材と同じ機能を有する部材については、同じ符号を付記し、その説明を省略する。
【００５７】
図８は、心電測定システム１００（生体情報測定システム）の構成を示す機能ブロック図である。図８に示すように、心電測定システム１００は、測定具１０の電極ベルト５に設けられた電極６、収納部３に収納された心電測定装置４、および端末装置３０（解析システム）を含んでいる。すなわち、心電測定システム１００は、測定具１０と、心電測定装置４および端末装置３０とを含んでいる。なお、心電測定システム１００は、測定具１０ではなく測定具２０、２０Ａ、２０Ｂのいずれかを含んでいてもよい。
【００５８】
心電測定装置４は、主制御部４１、判定結果出力部４４、送信部４５および電位差データ記録部４６を備えている。主制御部４１は、心電測定装置４の機能全般を制御する機能ブロックであり、特に、電位差検出部４２および装着判定部４３（判定部）を備えている。
【００５９】
一般には、心電とは、心臓の拍動などによって生体に生ずる微小な電流を指す。心電の測定は、例えば心臓を挟むような位置に複数の電極を設け、当該複数の電極間の電位差を検出することによって行われる。本開示においては、左右の前脚に配した電極６の間の電位差を測定することによって心電を測定する例を示している。より詳細には、電位差検出部４２は、左前脚の腋窩に配された電極６によって検出された第１電位差と、右前脚の腋窩に配された電極６によって検出された第２電位差との差（以下では単に電位差と称する）（生体情報）を検出する。第１および第２電位差は、電極６によって検出された電位と基準電位との差である。また、主制御部４１は、電位差検出部４２によって検出された電位差データを、記録媒体である電位差データ記録部４６に記録する。なお、電位差データ記録部４６は必ずしも心電測定装置４に設けられる必要はなく、外部装置に設けられていてもよい。その場合、主制御部４１は、例えば無線通信により当該外部装置と接続され、電位差データ記録部４６に電位差データを記録する。
【００６０】
装着判定部４３は、上記電位差を解析することにより、電極６が測定対象の生体に適切に装着されているかどうか（すなわち測定具１０が適切に装着されているかどうか）を判定する。具体的には、装着判定部４３は、所定時間内に取得した電位差の最大値と平均値との差を算出し、上記最大値と上記平均値との差が所定の閾値よりも大きい場合には、適切に装着されていると判定する。一方、装着判定部４３は、上記差が所定の閾値以下の場合には、適切に装着されていないと判定する。また、主制御部４１は装着判定部４３による判定の結果を、前述の電位差データと関連付けて電位差データ記録部４６に記録してもよい。
【００６１】
判定結果出力部４４は、装着判定部４３による判定の結果を出力する装置であり、スピーカ、表示装置、またはＬＥＤ（発光ダイオード）等の発光装置など、判定結果をユーザに報知できる装置であればよい。
【００６２】
送信部４５は、装着判定部４３による判定の結果を端末装置３０へ送信する通信装置である。心電測定装置４と端末装置３０との通信は、無線通信であっても、有線通信であってもよい。
【００６３】
端末装置３０は、心電測定装置４から離れたユーザに、装着判定部４３による判定の結果を報知するための装置であり、例えば、スマートフォンなどの携帯端末である。端末装置３０は、装着判定部４３による判定の結果を送信部４５から受信する受信部３１および当該判定結果をユーザに報知する判定結果出力部３２を備えている。判定結果出力部３２は、判定結果出力部４４と同様の装置である。
【００６４】
装着判定部４３は、端末装置３０に設けられていてもよい。この場合、送信部４５は、電位差検出部４２から出力された電位差データを端末装置３０の受信部３１へ送信する。
またこのとき、端末装置３０は、電位差データ記録部４６と同様の記録媒体である電位差データ記録部３３をさらに備え、受信した電位差データと、端末装置３０に設けた装着判定部４３による判定結果とを関連付けて電位差データ記録部３３に記録してもよい。
【００６５】
また、判定結果出力部４４および判定結果出力部３２のいずれか一方のみが設けられていてもよい。判定結果出力部３２が端末装置３０に設けられておらず、判定結果出力部４４が心電測定装置４に設けられている場合には、心電測定システム１００において端末装置３０を設けなくてもよい。
【００６６】
また、電位差データ記録部４６に記録する電位差データは、電位差検出部４２において検出した電位差データのうち、全部でもよいし一部でもよい。電位差データの一部のみ記録する場合の例としては、装着判定部４３によって適切に装着されたと判定された時点における電位差データのみを記録することが挙げられる。
【００６７】
図９は、心電測定装置４のハードウェアの構成の一例を示す図である。図９に示すように、心電測定装置４は、主制御部４１の各機能を実現するソフトウェアであるプログラムの命令を実行するＣＰＵ５０、上記プログラムおよび各種データがＣＰＵ５０で読み取り可能に記録されたＲＯＭ（Read Only Memory）５２、上記プログラムを展開するＲＡＭ（Random Access Memory）５１、外部の装置とのデータのやり取りを行う入出力インターフェース５３を備えている。入出力インターフェース５３は、例えば電極６、測定結果等を出力するための出力装置５４、または測定結果等を他の装置との間で送受信するための通信機器５５と接続されている。
【００６８】
上記プログラムを格納した記録媒体としては、「一時的でない有形の媒体」、例えば、テープ、ディスク、カード、半導体メモリ、プログラマブルな論理回路などを用いることができる。
【００６９】
図１０は、心電測定装置４における装着判定処理の流れの一例を示すフローチャートである。図１０に示すように、まず、電位差検出部４２は、ｔ秒分（例えば、１秒分）の電位差データを取得する（Ｓ１）。例えば、サンプリング周波数が１００Ｈｚであれば、１秒間に電位差データは合計で１００個得られる。取得した電位差データは、電位差データ記録部４６に記録される。
【００７０】
装着判定部４３は、ｔ秒分の電位差データが示す電位差の平均値（Ｓ２）および最大値を算出した後（Ｓ３）、上記最大値と上記平均値との差と所定の閾値との大小関係を判定する（Ｓ４）。
【００７１】
装着判定部４３は、上記最大値と上記平均値との差が所定の閾値よりも大きい場合（Ｓ４にて”＞”）には、電極６が適切に装着されていると判定する（Ｓ５）。上記所定の閾値は、例えば、０．１Ｖである。
【００７２】
一方、装着判定部４３は、上記最大値と上記平均値との差が所定の閾値以下の場合（Ｓ４にて”≦”）には、電極６が適切に装着されていないと判定する（Ｓ６）。この場合、判定結果出力部４４は、電極６が適切に装着されていない旨をユーザに報知する（Ｓ７）。または、電極６が適切に装着されていない旨を示す情報が送信部４５から受信部３１に送信され、判定結果出力部３２において上記報知が行われてもよい。もしくは、判定結果出力部４４および判定結果出力部３２の両方で報知されてもよい。
【００７３】
このような装着判定処理は、心電検出処理が終了するまで（Ｓ８にてＹＥＳ）繰り返される。または、心電測定装置４の電源のＯＮ／ＯＦＦを装着判定処理の開始／終了のタイミングとしてもよい。
【００７４】
判定結果出力部４４・３２における報知の方法として、「正しく装着できていません」（うまく装着できていない事実のみを伝える）、「装着を見直してください」（装着しなおすよう促す表示を行う）などのメッセージを表示する方法が挙げられる。その他の方法として、アラート音出力を行ってもよい。その場合、正しく装着されていると判定された場合、音の出力をやめる。
【００７５】
図１０に示したフローチャートにおいて、電極６が適切に装着されていると装着判定部４３が判定した場合に、判定結果出力部４４・３２がその旨を報知してもよい。例えば、判定結果出力部４４・３２は、「計測ＯＫ」などと表示してもよい。なお、電極６が適切に装着されているか否かについて、判定結果出力部４４および３２の双方が報知しても、どちらか一方のみが報知してもよいことは言うまでもない。
【００７６】
また、装着判定部４３は、ステップＳ４における判定の終了後に、当該判定の結果を電位差データ記録部４６に記録してもよい。
【００７７】
図１１は、心電波形の一例を示す図であり、（ａ）は電極６が適切に装着されている時の波形を示し、（ｂ）は電極６が適切に装着されていない時の波形を示す。（ａ）に示した波形では、略一定の周期で顕著なピークが出現しているが、（ｂ）に示した波形では当該ピークは出現していない。
【００７８】
図１１の（ａ）に示した波形では、１秒間における電位差の最大値と平均値との差は、約０．３６Ｖであった。この場合、電位差の最大値と平均値との差が０．１Ｖ以上であるため、装着判定部４３は、電極６が適切に装着されていると判定する。一方、図１１の（ｂ）に示した波形では、１秒間における電位差の最大値と平均値との差は、約０．０６Ｖであった。この場合、電位差の最大値と平均値との差が０．１Ｖ未満であるため、装着判定部４３は、電極６が適切に装着されていないと判定し、判定結果出力部４４は、電極６が適切に装着されていない旨をユーザに報知する。
【００７９】
装着判定部４３による装着判定方法は、上述の方法に限定されず、電位差の最大値と所定の閾値とを比較する方法など、他の方法であってもよい。
【００８０】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００８１】
１  主装着部
２  孔部
４  心電測定装置
５  電極ベルト
６  電極
１０、２０、２０Ａ、２０Ｂ  測定具
２１  長さ調節部
２２  連結部（第２連結部）
２３ａ・２３ｂ  連結部（第１連結部）
２４  連結部（第２連結部、長さ調節部）
２５  連結部（第１連結部）
２６  仮止め部
２７  延長ベルト（長さ調節部）
３０  端末装置（解析システム）
４３  装着判定部（判定部）
１００  心電測定システム（生体情報測定システム）
【図１】
2018126068.tif 000003
【図２】
2018126068.tif 000004
【図３】
2018126068.tif 000005
【図４】
2018126068.tif 000006
【図５】
2018126068.tif 000007
【図６】
2018126068.tif 000008
【図７】
2018126068.tif 000009
【図８】
2018126068.tif 000010
【図９】
2018126068.tif 000011
【図１０】
2018126068.tif 000012
【図１１】
2018126068.tif 000013